(57)【要約】【課題】  男児赤ちゃんのオムツの取り替え時において、放尿してしまう尿を素早く受け止めて吸収させることができる、男児赤ちゃん用尿吸収具を得る。【解決手段】  円形状且つ可撓性を有した液透過性シートと円形状且つ可撓性を有した液不透過性シートの中央部に高分子吸収体を平坦状に封入すると共に、前記液透過性シートと液不透過性シートの外縁部を封着して外縁フラップを形成した円形状尿吸収シートと、該円形状尿吸収シートの液透過性シート側を内側にして窄め、前記外縁フラップを保持具に係着することにより開口部を形成して構成する。又は、前記円形状尿吸収シートにおいて、外縁フラップの外周部より僅か内側に収縮用糸を周設した円形状尿吸収シートとする。【選択図】        図１
2007068964.tif 000002
【特許請求の範囲】
【請求項１】
円形状且つ可撓性を有した液透過性シートと円形状且つ可撓性を有した液不透過性シートの中央部に高分子吸収体を平坦状に封入すると共に、前記液透過性シートと液不透過性シートの外縁部を封着して外縁フラップを形成した円形状尿吸収シートと、該円形状尿吸収シートの液透過性シート側を内側にして窄め、前記外縁フラップを保持具に係着することにより開口部を形成して構成したことを特徴とする、男児赤ちゃん用尿吸収具。
【請求項２】
円形状且つ可撓性を有した液透過性シートと円形状且つ可撓性を有した液不透過性シートの中央部に高分子吸収体を平坦状に封入すると共に、前記液透過性シートと液不透過性シートの外縁部を封着して外縁フラップを形成し、更に前記外縁フラップの外周部より僅か内側に収縮用糸を周設した円形状尿吸収シートと、該収縮用糸を周設した円形状尿吸収シートの液透過性シート側を内側にして窄め、前記外縁フラップを保持具に係着することにより開口部を形成して構成したことを特徴とする、男児赤ちゃん用尿吸収具。
【発明の詳細な説明】
【技術分野】
【０００１】  本発明は、男児赤ちゃんのオムツの取り替え時において、該オムツを取り外した際に勢いよく放尿してしまう尿を素早く受け止めて吸収させることができる、男児赤ちゃん用尿吸収具に関するものである。
【背景技術】
【０００２】  オムツをはいている赤ちゃんに対し、尿や便をした後の不快感や不衛生さを解消すべく日に何度もオムツの取り替えを行っている。該オムツの取り替え時、特に男児赤ちゃんのオムツを取り替えるため当該男児赤ちゃんのオムツを取り外した際に、オムツが取り外された開放感からかそのまま勢いよく放尿してしまい、周辺を尿で汚してしまうことがよくある。【０００３】  上記状況時においては、近くにあるティッシュペーパーやタオル又は交換用のオムツで尿を拭き取るため、シーツやタオル等の新たな洗濯物を出したり、紙オムツの場合には一つを無駄にしてしまっていた。【０００４】  また、上記男児赤ちゃんのオムツの取り替え時におけるものではないものの、男児赤ちゃんや男性病人及び男性老人等の尿を吸収するものとして、実開昭６２−１４２３２０号公報の『収尿袋』においては、高分子吸収体を収容したシート状の袋に尿を導入するためのチューブを設け、該チューブより尿を導入して吸収する袋について記載されている。また、一般的な紙オムツの内側に男児赤ちゃんや男性病人及び男性老人等の尿を確実に吸収して漏れを防ぐため、陰茎を導入する袋や穴を配設した特許公報がいくつか見られる。【０００５】
【特許文献１】実開昭６２−１４２３２０
【発明の開示】
【発明が解決しようとする課題】
【０００６】  上記実開昭６２−１４２３２０号公報におけるもの及び紙オムツの内側に男児赤ちゃんや男性病人及び男性老人等の陰茎を導入する袋や穴を配設したものは、当該袋や紙オムツに収容した高分子吸収体により尿を確実に吸収して漏れを防ぐためのものであり、男児赤ちゃんのオムツの取り替え時に勢いよく放尿する尿を素早く受け止めて吸収し、周辺を尿で汚さないようにするためのものではない。また、現時点においては、このような状況時に対応するための尿吸収具はなく、商品化が望まれていた。【０００７】  本発明は、上記要求に応えるべく成されたものであり、男児赤ちゃんのオムツの取り替え時において、該オムツを取り外した際に勢いよく放尿してしまう尿を素旱く受け止めて吸収させることにより周辺を尿で汚すことのない、男児赤ちゃん用尿吸収具を提供することを目的とする。
【課題を解決するための手段】
【０００８】  上記課題を解決するため、本発明の男児赤ちゃん用尿吸収具は、円形状且つ可撓性を有した液透過性シートと円形状且つ可撓性を有した液不透過性シートの中央部に高分子吸収体を平坦状に封入すると共に、前記液透過性シートと液不透過性シートの外縁部を封着して外縁フラップを形成した円形状尿吸収シートと、該円形状尿吸収シートの液透過性シート側を内側にして窄め、前記外縁フラップを保持具に係着することにより開口部を形成して構成する。【０００９】  また、円形状且つ可撓性を有した液透過性シートと円形状且つ可撓性を有した液不透過性シートの中央部に高分子吸収体を平坦状に封入すると共に、前記液透過性シートと液不透過性シートの外縁部を封着して外縁フラップを形成し、更に前記外縁フラップの外周部より僅か内側に収縮用糸を周設した円形状尿吸収シートと、該収縮用糸を周設した円形状尿吸収シートの液透過性シート側を内側にして窄め、前記外縁フラップを保持具に係着することにより開口部を形成して構成する。
【発明の効果】
【００１０】  本発明の男児赤ちゃん用尿吸収具によれば、男児赤ちゃんのオムツの取り替え時において当該該尿吸収具を予め手元に用意しておくことにより、オムツを取り外した際に勢いよく放尿してしまう尿を、慌てることなく素早く受け止めて吸収させることができるため、周辺を尿で汚すことがなくなるという絶大なる効果を奏する。また、前記尿吸収具を構成する円形状尿吸収シートは、紙オムツと同様に安価な使い捨てタイプであり、新たに洗濯物を出すこともなく手軽に使用することができるという効果も奏する。
【発明を実施するための最良の形態】
【００１１】  本発明を実施するための最良の形態を図を用いて説明する。【００１２】  図３は本発明の男児赤ちゃん用尿吸収具に用いる円形状尿吸収シートの外形図であり、（ａ）は平面図，（ｂ）はＡ−Ａ断面側面図である。円形状尿吸収シート２の第一実施形態として、円形状且つ可撓性を有した液透過性シート３と円形状且つ可撓性を有した液不透過性シート４の中央部に高分子吸収体５を平坦状に封入すると共に、前記液透過性シート３と液不透過性シート４の外縁部を封着して外縁フラップ６を形成する。【００１３】  また、図４は図３において外縁フラップに収縮用糸を周設した円形状尿吸収シートの外形図である。円形状尿吸収シート２の第二実施形態として、円形状且つ可撓性を有した液透過性シート３と円形状且つ可撓性を有した液不透過性シート４の中央部に高分子吸収体５を平坦状に封入すると共に、前記液透過性シート３と液不透過性シート４の外縁部を封着して外縁フラップ６を形成し、更に前記外縁フラップ６の外周部より僅か内側に収縮用糸１５を周設して形成する。該収縮用糸１５の周設方法は、外縁フラップ６内に予め収縮用糸１５を配設しておき、該収縮用糸１５の経路部以外の部分を封着したり、単に外縁フラップ６を収縮用糸１５でぐし縫いするなど、如何なる方法であっても構わない。【００１４】  上記図３の円形状尿吸収シート２においては、液透過性シート３側を内側にすると共に外縁フラップ６を手でひだを折るようにして前記円形状尿吸収シート２全体をカップ状に窄める。また、上記図４の収縮用糸１５を周設した円形状尿吸収シート２においては、液透過性シート３側を内側にすると共に外縁フラップ６に周設した収縮用糸１５を引っ張ることにより外縁フラップ６にひだを生じさせて前記円形状尿吸収シート２全体をカップ状に窄める。そして、該外縁フラップ６を保持具に係着して開口部を形成することにより、男児赤ちゃん用尿吸収具１が構成される。
【実施例１】
【００１５】  図１は本発明の男児赤ちゃん用尿吸収具の第一実施例の正面部分断面図であり、液透過性シート３側を内側にしてカップ状に窄めた円形状尿吸収シート２の外縁フラップ６に、保持具として保持リング９を構成する内部リング７を被せると共に余った外縁フラップ６を外側に折り返し、更に前記内部リング７の下部より外部リング８を装着することにより、開口部１２を有した尿吸収具１が構成される。【００１６】  図２は図１の男児赤ちゃん用尿吸収具の使用方法を示す図であり、（ａ）は使用前における状態，（ｂ）は使用中における状態を示している。まず、（ａ）に示すように、男児赤ちゃん１３のオムツの取り替え時において、手元に尿吸収具１を予め用意しておく。ここで、該男児赤ちゃん１３が放尿を行った場合、前記尿吸収具１を開口部１２より当該男児赤ちゃん１３の陰茎１４の上部に被せる。次に、（ｂ）に示すように、尿吸収具１の保持具である保持リング９を放尿が終わるまで陰部に押し当てておくことにより、尿は前記尿吸収具１内の高分子吸収体５により吸収されることになり、周囲を汚すことがなくなる。なお、外部リング８の端部１０を弓状部１１にて外周側に開いた形状にすると、男児赤ちゃん１３の肌に優しく当るため、痛みや不快感を伴わずに好適となる。
【実施例２】
【００１７】  図５は本発明の男児赤ちゃん用尿吸収具の第二実施例の正面部分断面図であり、液透過性シート３側を内側にしてカップ状に窄めた円形状尿吸収シート２を、保持具として市販の紙コップ１６内に収納し、前記円形状尿吸収シート２の外縁フラップ６を紙コップ１６の開口部外側に貼付した両面接着テープ１７に接着することに、開口部１２を有した尿吸収具１が構成される。【００１８】  使用方法は、上記実施例１と同様である。【００１９】  なお、上記第一実施例及び第二実施例で示した尿吸収具１は、使用前において円形状尿吸収シート２をカップ状に窄め、更に外縁フラップ６を保持具に係着して開口部を形成して準備しておくものであるが、図１又は図５に示すようなカップ形状の製品として商品化したものであってもよい。
【産業上の利用可能性】
【００２０】  上記説明においては、男児赤ちゃん１３のオムツの取り替え時において、該オムツを取り外した際に放尿してしまう尿を素早く受け止めて吸収させる尿吸収具１として説明したが、図１に示す尿吸収具１においては保持リング９の外部リング８の内側の弓状部１１に両面接着テープを貼付して陰部に貼付可能にすれば、就学前後の男児幼児の夜尿症対策具として利用することもできる。
【図面の簡単な説明】
【００２１】
【図１】本発明の男児赤ちゃん用尿吸収具の第一実施例の正面部分断面図である。
【図２】図１の男児赤ちゃん用尿吸収具の使用方法を示す図である。
【図３】本発明の男児赤ちゃん用尿吸収具に用いる円形状尿吸収シートの外形図である。
【図４】図３において外縁フラップに収縮用糸を周設した円形状尿吸収シートの外形図である。
【図５】本発明の男児赤ちゃん用尿吸収具の第二実施例の正面部分断面図である。
【符号の説明】
【００２２】１  尿吸収具
２  円形状尿吸収シート
３  液透過性シート
４  液不透過性シート
５  高分子吸収体
６  外縁フラップ
７  内部リング
８  外部リング
９  保持リング
１０  端部
１１  弓状部
１２  開口部
１３  男児赤ちゃん
１４  陰茎
１５  収縮用糸
１６  紙コップ
１７  両面接着テープ
【図１】
2007068964.tif 000003
【図２】
2007068964.tif 000004
【図３】
2007068964.tif 000005
【図４】
2007068964.tif 000006
【図５】
2007068964.tif 000007